(57)【要約】本発明は、変速機の制御装置のために、アクチュエータとの電気的および機械的接続を確立する装置に関する。ハウジング（１０ａ、１０ｂ）と、ハウジング（１０ａ、１０ｂ）内に配置されて固定された２つのコンタクトスプリングワイヤ（１７ａ、１８ａ）と、を備えるプラグ素子（１０）が備えられている。ハウジング（１０ａ、１０ｂ）は側方に配置された側方開口部（２５、２６）を備える。コンタクトスプリングワイヤ（１７ａ、１８ａ）は、側方開口部（２５、２６）の領域において、ばね圧力コンタクト（１７ａ、１８ａ）を構成する。【選択図】図２
2021517336.tif 000002
【特許請求の範囲】
【請求項１】
変速機の変速機制御装置のために、アクチュエータ（１９、２９）との電気的および機械的接続を確立する装置であって、プラグ素子（１０、２０）を備え、前記プラグ素子（１０、２０）は、ハウジング（１０ａ、１０ｂ、２０ａ、２０ｂ）と、前記ハウジング（１０ａ、１０ｂ、２０ａ、２０ｂ）内に配置されて固定された２つのコンタクトスプリングワイヤ（１７ａ、１８ａ、２７ａ、２８ａ）と、を備え、前記ハウジング（１０ａ、１０ｂ、２０ａ、２０ｂ）は側方に配置された側方開口部（２５、２６、４５、４６）を備え、前記コンタクトスプリングワイヤ（１７ａ、１８ａ、２７ａ、２８ａ）は、前記側方開口部（２５、２６、４５、４６）の領域において、ばね圧力コンタクト（１７ａ、１８ａ、２７ａ、２８ａ）を構成することを特徴とする、装置。
【請求項２】
請求項１に記載の装置であって、前記コンタクトスプリングワイヤ（１７ａ、１８ａ、２７ａ、２８ａ）は、電気ライン（１１、１２）と接続されていることを特徴とする、装置。
【請求項３】
請求項１または２に記載の装置であって、前記プラグ素子（１０、２０）は長手方向軸線または差込み軸線（ａ）を有し、電気的な前記ばね圧力コンタクト（１７ａ、１８ａ、２７ａ、２８ａ）の圧力方向（Ｆ）は、前記長手方向軸線（ａ）に対して実質的に垂直であることを特徴とする、装置。
【請求項４】
請求項１、２または３の何れかに記載の装置であって、前記プラグ素子（１０、３０）は、ラッチ素子またはスナップ素子（１３、３３ａ、３３ｂ）を備えることを特徴とする、装置。
【請求項５】
請求項１から４の何れか一項に記載の装置であって、前記プラグ素子（１０、３０）は、相互に結合可能な２つのハウジング半部（１０ａ、１０ｂ、３０ａ、３０ｂ）を備え、前記ハウジング半部（１０ａ、１０ｂ、３０ａ、３０ｂ）の間に、前記コンタクトスプリングワイヤ（１７、１８、３７、３８）が収容されて、固定されていることを特徴とする、装置。
【請求項６】
請求項１から５の何れか一項に記載の装置であって、連続したラビリンスシール（２３、２４、４３、４４）は、前記コンタクトスプリングワイヤ（１７、１８、３７、３８）の間に配置されていることを特徴とする、装置。
【請求項７】
請求項６に記載の装置であって、前記ラビリンスシールは、連続する溝（２４、４４）および前記溝（２４、４４）に係合するブリッジ（２３、４３）として構成されていることを特徴とする、装置。
【請求項８】
電気接続用コンタクト（２２、４２）を備えるアクチュエータ（１９、３９）と、請求項１から７の何れか一項に記載の装置との間に電気的および機械的接続を確立するアセンブリであって、前記アクチュエータ（１９、３９）は、端面側にコンタクトハウジング（２１、４１）を備え、前記プラグ素子（１０、３０）は、前記コンタクトハウジング（２１、４１）内に挿入可能であり、固定可能であることを特徴とする、アセンブリ。
【請求項９】
請求項８に記載のアセンブリであって、前記アクチュエータ（１９、３９）の前記電気接続用コンタクトは、コンタクトピン（２２、４２）として構成されており、前記コンタクトピン（２２、４２）が、前記プラグ素子（１０、３０）のばね圧力コンタクト（１７ａ、１８ａ、３７ａ、３８ａ）と接触を構成することを特徴とする、アセンブリ。
【請求項１０】
請求項８または９に記載のアセンブリであって、前記コンタクトハウジング（２１、４１）は、ラッチ素子またはスナップ素子を備え、前記ラッチ素子またはスナップ素子が、前記プラグ素子（１０、３０）のラッチ素子またはスナップ素子（１３、３３ａ、３３ｂ）と対応することを特徴とする、アセンブリ。
【請求項１１】
請求項８、９、または１０の何れかに記載のアセンブリであって、前記コンタクトハウジング（２１、４１）と前記プラグ素子（１０、３０）との間に、ラビリンスシール（１４、３４）が配置されていることを特徴とする、アセンブリ。
【発明の詳細な説明】
【技術分野】
【０００１】
本発明は、請求項１の上位概念に記載の、アクチュエータとの電気的および機械的接続を確立する装置に関する。また本発明は、請求項８の上位概念に記載の、アクチュエータと装置との間に電気的および機械的接続を確立するアセンブリに関する。
【背景技術】
【０００２】
ドイツ特許出願公開第１０３  ３７  １９７  Ａ１号明細書によって、電磁弁を電気的に接触させる装置が開示されている。この装置は、コンタクトハウジングに配置されたコンタクト素子を備える。このコンタクト素子が、キャリア素子上に配置された回路基板と接触する。回路基板は、電磁弁のコンタクト素子と圧力コンタクトを構成する対向コンタクト素子を備える。キャリア素子には溝状の凹部が設けられており、この凹部に弁ハウジングの端面が係合する。それによって、汚れ粒子、特に金属の切削屑がコンタクトハウジング内に侵入するのを防止する、ラビリンスシールが構成される。
【先行技術文献】
【特許文献】
【０００３】
【特許文献１】ドイツ特許出願公開第１０３  ３７  １９７  Ａ１号
【発明の概要】
【発明が解決しようとする課題】
【０００４】
本発明の課題は、アクチュエータと、好適には油圧シフト装置のアクチュエータと電気的および機械的接続を確立することである。
【課題を解決するための手段】
【０００５】
本発明は、独立請求項１および８に記載の特徴を有する。有利な実施形態は、従属請求項から明らかである。
【０００６】
本発明の第１態様によれば、アクチュエータと電気的接続を確立するために、プラグ素子が備えられている。このプラグ要素は、ハウジングと、ハウジング内に配置されて固定された２つのコンタクトスプリングワイヤと、を備える。ハウジングは側方に配置された側方開口部を備える。コンタクトスプリングワイヤは、側方開口部の領域において、ばね圧力コンタクトを構成する。コンタクトスプリングワイヤは、側方開口部の領域において、弾性的に変形可能な円弧としてハウジングから出て、差込み動作によって対応する対向コンタクトと接触することができる。アクチュエータは、好適には電磁弁、例えば油圧シフト装置用の電磁弁である。
【０００７】
好適な実施形態によれば、コンタクトスプリングワイヤは、回路基板に通じる電気ラインと接続されている。特定の設置状況では、個々のアクチュエータは位置が異なる。つまり、個々のアクチュエータが、回路基板に対して異なる距離で配置されている。この場合、電気ラインの長さを異なる距離に適合させることができるため、プラグ素子が特に適している。
【０００８】
さらなる好適な実施形態によれば、プラグ素子は長手方向軸線または差込み軸線を有する。長手方向軸線または差込み軸線は、電気的および機械的接続を確立する際の差込み方向に対応する。２つの電気的なばね圧力コンタクトの圧力方向は、プラグ素子の長手方向軸線に対して実質的に垂直であり、同一平面にある。これにより、平坦な設計であるという、プラグ素子にとっての利点が達成される。
【０００９】
さらなる好適な実施形態によれば、プラグ素子は、ラッチ素子またはスナップ素子を備える。つまり、プラグ要素を、さらなる補助手段なしに、単純な差込み動作でアクチュエータと機械的に接続させることができる。この機械的接続、つまりスナップ接続またはラッチ接続を用いて、同時に、ばね圧力によって電気コンタクトが確立される。
【００１０】
さらなる好適な実施形態によれば、プラグ素子は、相互に結合可能な２つのハウジング半部を備える。ハウジング半部内に、２つのコンタクトスプリングワイヤが形状結合的に収容されて、固定されている。好適には、２つのハウジング半部は、コンタクトスプリングワイヤ用に予め形成された凹部またはリセスを備えるプラスチック射出成形部品として構成されている。コンタクトスプリングワイヤが、ハウジング半部の間で同一平面に並んで配置されているため、ハウジング全体が平坦な設計となっている。
【００１１】
さらなる好適な実施形態によれば、ラビリンスシールは、側方に配置された電気コンタクトの間に配置されている。ラビリングシールが、プラグ素子の長手方向に延在する。ラビリンスシールは、例えばギアオイル中に浮遊する金属の切削屑のような導電性粒子が、一方のコンタクト側から他方のコンタクト側へ到達して、短絡の原因となりえる導電性ブリッジを確立する可能性を防止する。
【００１２】
さらなる好適な実施形態によれば、ラビリンスシールは、一方では溝状の凹部または溝として、他方では溝に係合するブリッジとして構成されている。これによって、ブリッジ素子と一体になった、追加のシール素子を必要としない効果的なシールが得られる。好適には、連続したラビリンスシールは、鏡面対称に配置された２つのコンタクトスプリングワイヤの間の中央に配置されている。それによって、コンタクトスプリングワイヤが相互に電気的に絶縁されている。
【００１３】
本発明のさらなる態様によれば、アクチュエータと上述のプラグ素子との間を電気的および機械的に接続するアセンブリにおいて、アクチュエータは、その端面上にコンタクトハウジングを備える。プラグ素子は、コンタクトハウジング内に挿入可能であり、固定可能である。その際、差込み方向は、アクチュエータの長手方向軸線に対して横方向である。その結果、ほとんど設置スペースを必要としない、平坦なコンタクトハウジングが得られる。接続された電気ラインを備えるプラグ素子は、設置状況に起因してアクチュエータと回路基板との間に存在する空間的な距離をブリッジする。
【００１４】
さらなる好適な実施形態によれば、アクチュエータの接続用コンタクトは、端面側に配置されたコンタクトピンとして構成されている。コンタクトピンは、プラグ素子のばね圧力コンタクトに接触される。この場合、横方向に作用する接触圧力または力は、コンタクトピンによって吸収される。
【００１５】
さらなる好適な実施形態によれば、コンタクトハウジングは、ラッチ素子またはスナップ素子として構成された機械的接続素子を備える。機械的接続素子は、プラグ素子のラッチ素子またはスナップ素子に対応する。これにより、ラッチ接続またはスナップ接続を用いて、確実に、プラグ素子をアクチュエータと機械的に接続させて、電気的に接触させることができる。
【００１６】
さらなる好適な実施形態によれば、ラビリンスシールは、コンタクトハウジングとプラグ素子との間に配置されている。ラビリンスシールが、好適にはブリッジおよび溝として構成されており、プラグ素子の外側に、切削屑からのさらなる保護部を構成する。
【００１７】
さらなる好適な実施形態によれば、装置および／またはアセンブリは、車両変速機の変速機制御装置のために、アクチュエータとの電気的および機械的接続を確立するよう機能する。したがって、変速機は、このようなアクチュエータ、およびこのような変速機制御装置を備える任意の車両変速機であってよい。このような車両変速機は、特に、自動変速機または自動化されたシフト型変速機であってよい。これには、デュアルクラッチ変速機、またはハイドロダイナミック式トルクコンバータを備える変速機、またはそれらの混合形態、または静油圧式変速機も含まれる。しかしながら、車両変速機は、例えば自動車用の全輪駆動ドライブトレインのトランスファーケースであってもよく、または鉄道車両用の反転変速機であってもよい。
【００１８】
本発明の実施形態が図面に示され、以下で詳説される。さらなる特徴および／または利点は、記載および／または図面から明らかにすることができる。
【図面の簡単な説明】
【００１９】
【図１】接続用ラインを備えるプラグ素子のための、本発明の第１実施形態の図である。
【図２】図１のプラグ素子の個別部品の図である。
【図３】プラグ素子とアクチュエータとの間の電気的および機械的接続の図である。
【図４】変更されたプラグ素子のための、本発明の第２実施形態の図である。
【図５】図４のプラグ素子の個別部品の図である。
【図６】プラグ素子とアクチュエータとの間を電気的および機械的に接続するアセンブリの図である。
【発明を実施するための形態】
【００２０】
図１は、本発明の第１実施形態として、ここでは図示しないアクチュエータ、好適には自動車用変速機の油圧シフト装置のアクチュエータの電気的接触のために備えられた、プラグ素子１０を示す。プラグ素子１０は、任意の長さの２つの接続用ライン１１、１２を備える。接続用ライン１１、１２は、図示されていない電子回路装置、特に電子変速機制御装置（elektronischen Getriebesteuerung：ＥＧＳ）の回路基板と端部側で接続することができる。プラグ素子１０は、回路基板に対してより大きな空間距離に配置されたアクチュエータのために備えられている。図面上で視認可能なプラグ素子１０の上側には、ラッチノーズ１３とも称される保持クリップ１３が、プラグ素子１０をコンタクトハウジング２１（図３）に対して固定するために配置されている。さらに、プラグ素子１０の上側には、ブリッジ１４が配置されている。ブリッジ１４は、ラビリンスシールの一部であり、コンタクトハウジング２１（図３）における図示されていない溝に係合する。プラグ素子１０は、さらに、側方ガイドスリット１５、１６を備える。側方ガイドスリット１５、１６は、コンタクトハウジング２１（図３）に対して、プラグ素子１０を長手方向にガイドして、固定するよう機能する。
【００２１】
図２は、個別部品、すなわち第１ハウジング半部１０ａ、第２ハウジング半部１０ｂ、およびコンタクトスプリングワイヤ１７、１８を備えるプラグ素子１０を示す。コンタクトスプリングワイヤ１７、１８は、弾性を有して外に出るばね圧力コンタクト１７ａ、１８ａを構成する。プラグ素子１０は、長手方向軸線または差込み軸線ａを有し、差込み軸線ａの方向にコンタクトハウジング２１（図３）内に挿入される。円弧状のたわみばねとして構成された、ばね圧力コンタクト１７ａ、１８ａの圧力方向は、矢印Ｆで、すなわち長手方向軸線ａに対して横方向で示されている。このために、２つのハウジング半部１０ａ、１０ｂは、側方開口部２５、２６を備える。コンタクトスプリングワイヤ１７、１８は、２つのハウジング半部１０ａ、１０ｂによって、形状結合的に（参照番号付記なしの）凹部内に受容され、接続用ライン１１，１２と導電的に接続されている。
【００２２】
図３は、プラグ素子１０と、ハウジング２０上、好適には油圧シフト装置２０上に配置されたアクチュエータ１９との接続を示す。アクチュエータ１９の端面の上、好適には電磁弁１９の上には、プラグ素子１０を部分的に内部に収容するコンタクトハウジング２１が配置されている。プラグ素子１０は、ロック可能な保持クリップ１３によって、長手方向のプラグ素子１０の位置に固定されている。アクチュエータ１９は２つのコンタクトピンを備える。２つのコンタクトピンのうちのコンタクトピン２２のみが視認可能である。コンタクトピン２２は、電気コンタクト１７ａと圧力接触している。
【００２３】
図４は、接続用ライン３１、３２を備えるプラグ素子３０のための、本発明の第２実施形態を示す。プラグ素子３０の外側には、ラビリンスシールのためのブリッジ３４が、コンタクトハウジング４１（図６）に対向して配置されている。長手方向に固定するために、ラッチ素子またはスナップ素子３３ａ、３３ｂが、プラグ素子３０の端面側に設けられている。さらに、プラグ素子３０は、コンタクトハウジング４１（図６）においてガイドして固定するためのガイドスリット３５、３６を備える。
【００２４】
図５は、プラグ素子３０の個別部品、すなわち第１ハウジング半部３０ａ、第２ハウジング半部３０ｂ、および２つのコンタクトスプリングワイヤ３７、３８を示す。コンタクトスプリングワイヤ３７、３８は、ばね圧力コンタクト３７ａ、３８ａとして構成された電気コンタクトを構成し、接続用ライン３１、３２と導電的に接続されている。第１ハウジング半部３０ａは、コンタクトスプリングワイヤ３７、３８の間の中央に配置されたブリッジ４３を備える。一方、第２ハウジング半部３０ｂは対応する溝４４を備える。ブリッジ４３および溝４４は、切削屑からの保護部としてラビリンスシールを構成する。２つのハウジング半部３０ａ、３０ｂは、ラッチ素子３３ａ、３３ｂと、ばね圧力コンタクト３７ａ、３８ａのための側方開口部４５、４６と、を備える。
【００２５】
図６は、プラグ素子３０と、ハウジング４０上に配置されたアクチュエータ３９のコンタクトハウジング４１との接続を示す。ラッチノーズ３３ａ、３３ｂは、コンタクトハウジング４１の端面に対してラッチされ、プラグ素子３０を長手方向または差込み方向に固定するよう作用する。コンタクトピン４２として構成されたアクチュエータ３９の接続用コンタクトは、ばね圧力コンタクト３７ａに接触される。したがって、プラグ素子３０の長手方向に対して横方向である、ばね圧力コンタクトから生じる圧力は、２つのコンタクトピンによって吸収される。
【符号の説明】
【００２６】
１０  プラグ素子
１０ａ  第１ハウジング半部
１０ｂ  第２ハウジング半部
１１  接続用ライン
１２  接続用ライン
１３  保持クリップ／ラッチ素子
１４  （外側）ブリッジ
１５  ガイドスリット
１６  ガイドスリット
１７  第１コンタクトワイヤ
１７ａ  電気コンタクト
１８  第２コンタクトワイヤ
１８ａ  電気コンタクト
１９  アクチュエータ
２０  ハウジング
２１  コンタクトハウジング
２２  コンタクトピン
２３  （内側）ブリッジ
２４  溝
２５  側方開口部
２６  側方開口部
３０  プラグ素子
３０ａ  第１ハウジング半部
３０ｂ  第２ハウジング半部
３１  接続用ライン
３２  接続用ライン
３３ａ  ラッチ素子
３３ｂ  ラッチ素子
３４  ブリッジ
３５  ガイドスリット
３６  ガイドスリット
３７  第１コンタクトワイヤ
３７ａ  電気コンタクト
３８  第２コンタクトワイヤ
３８ａ  電気コンタクト
３９  アクチュエータ
４０  ハウジング
４１  コンタクトハウジング
４２  コンタクトピン
４３  （内側）ブリッジ
４４  溝
４５  側方開口部
４６  側方開口部
ａ  長手方向軸線または差込み軸線
Ｆ  圧力方向
【図１】
2021517336.tif 000003
【図２】
2021517336.tif 000004
【図３】
2021517336.tif 000005
【図４】
2021517336.tif 000006
【図５】
2021517336.tif 000007
【図６】
2021517336.tif 000008
【国際調査報告】
2021517336.tif 000009
2021517336.tif 000010
2021517336.tif 000011
2021517336.tif 000012